(57)【要約】【課題】  ソフトビニールで形成した人形のヘアースタイルを、思い通りの自由なデザインにでき、あらゆるヘアースタイルに対応可能な汎用性があり、所望のヘアー束を結束状態で安定的に固定でき、構成簡素で、作業自体が簡単に且つ短時間で行え、熟練を要することなく誰でも容易に作業でき、経済的な人形用ヘアーのセット装置を提供する。【解決手段】  ソフトビニールで形成した頭部にヘアーを植毛状に設けた人形に於いて、人形頭部１の所望位置に適数の紐通し孔３を設け、紐通し孔３に二本の紐状体５を挿通して形成し、二本の紐状体５の人形頭部１内表面がわには、二本の紐状体５の基端部分を結んで形成すると共に紐通し孔３より大きな裏結び目６を設け、二本の紐状体５の人形頭部１外表面がわには、所望のヘアー束２を結束可能となるような表結び目７を設け、紐通し孔３近傍でヘアー束２を固定できるよう構成する。【選択図】図３
0003101964.tif 000002
【実用新案登録請求の範囲】
【請求項１】
ソフトビニールで形成された頭部にヘアーを植毛状に設けてなる人形に於いて、人形頭部の所望位置に適数の紐通し孔を設けると共に、この紐通し孔に二本の紐状体を挿通して形成されており、この二本の紐状体の人形頭部内表面がわには、二本の紐状体の基端部分を結んで形成されると共に紐通し孔より大きな裏結び目が設けられ、二本の紐状体の人形頭部外表面がわには、所望のヘアー束を結束可能となるような表結び目が設けられ、前記紐通し孔近傍でヘアー束を固定できるよう構成したことを特徴とする人形用ヘアーのセット装置。
【請求項２】
前記紐通し孔近傍で固定されたヘアー束の表面がわに適宜装飾体を配すると共に、装飾体で表結び目部分を覆うように構成したことを特徴とする請求項１記載の人形用ヘアーのセット装置。
【考案の詳細な説明】
【技術分野】
【０００１】
本考案は、主に、ソフトビニールで形成された頭部にヘアーを植毛状に設けてなる人形のヘアースタイルを、自由にデザインできるようにし、しかも、構成が簡素で、熟練を要することなく誰でも簡単にセット作業が行え、また、外観上の体裁が良くなるように工夫された人形用ヘアーのセット装置に関するものである。
【背景技術】
【０００２】
従来、この種の人形のへアースタイルを自由にデザインできるような手段としては、例えば、特許文献１に示すような人形の頭髪及びその製造方法等が提案されている。
これは、人形頭部に植毛された毛髪の内、前髪の後側に、所要形状の布を起立状態に固定し、前記前髪を前記布の正面に接着して、前記前髪を所望の形態に固定したものである。また、前髪や後髪は、適宜結束材によって部分的に束ねられるようにしている。
【０００３】
【特許文献１】実開平６−３０４３４０号公報
【考案の開示】
【考案が解決しようとする課題】
【０００４】
しかしながら、前述の如き手段にあっては、布の下端部を頭部に当てて植毛用ミシンで縫い付け、その布の後方に周り髪を植毛し、前髪を所望の整髪状態にセットした後、前髪を布の正面に接着して固定するようになるため、作業自体がかなり複雑となり、面倒であると共に、熟練を要する等の難点があった。
また、人形のヘアースタイルを、思い通りの自由なデザインにできるような汎用性のあるものでもない等の難点もあった。
【課題を解決するための手段】
【０００５】
そこで、本考案は、前述の如き難点等を解消できるようにすべく案出されたもので、請求項１記載の人形用ヘアーのセット装置にあっては、ソフトビニールで形成された頭部にヘアーを植毛状に設けてなる人形に於いて、人形頭部１の所望位置に適数の紐通し孔３を設けると共に、この紐通し孔３に二本の紐状体５を挿通して形成されており、この二本の紐状体５の人形頭部１内表面がわには、二本の紐状体５の基端部分を結んで形成されると共に紐通し孔３より大きな裏結び目６が設けられ、二本の紐状体５の人形頭部１外表面がわには、所望のヘアー束２を結束可能となるような表結び目７が設けられ、前記紐通し孔３近傍でヘアー束２を固定できるよう構成する手段を採用した。
【０００６】
また、請求項２記載の人形用ヘアーのセット装置にあっては、前記紐通し孔３近傍で固定されたヘアー束２の表面がわに適宜装飾体１０、１５を配すると共に、装飾体１０、１５で表結び目７部分を覆うように構成する手段を採用した。
【考案の効果】
【０００７】
従って、請求項１記載の人形用ヘアーのセット装置によれば、ソフトビニールで形成された頭部にヘアーを植毛状に設けてなる人形のヘアースタイルを、思い通りの自由なデザインにセットでき、あらゆるヘアースタイルに対応可能な汎用性のある人形用ヘアーのセット装置となる。
しかも、構成が簡素で、セット作業自体が簡単に且つ短時間で行え、熟練を要することなく誰でも容易に作業でき、経済的な人形用ヘアーのセット装置となる。
【０００８】
特に、人形頭部１の所望位置に適数の紐通し孔３を設けると共に、この紐通し孔３に二本の紐状体５を挿通して形成されており、この二本の紐状体５の人形頭部１内表面がわには、二本の紐状体５の基端部分を結んで形成されると共に紐通し孔３より大きな裏結び目６が設けられ、二本の紐状体５の人形頭部１外表面がわには、所望のヘアー束２を結束可能となるような表結び目７が設けられ、前記紐通し孔３近傍でヘアー束２を固定できるよう構成したので、二本の紐状体５の基端部分は、強い外力が加えられたとしても、裏結び目６によって人形頭部１の紐通し孔３から簡単に抜脱するような虞れのないものとなり、所望のヘアー束２を結束状態で安定的に固定できるようになる。
【０００９】
また、請求項２記載の人形用ヘアーのセット装置によれば、紐状体５の表結び目７部分（或いは、表結び目７部分及び紐状体５自体）を、装飾体１０、１５で確実に覆うことができるようになり、外観上の体裁が一層良好となる。
【考案を実施するための最良の形態】
【００１０】
以下、本考案を図示例に基づいて説明すると、次の通りである。
本考案の人形用ヘアーのセット装置は、主に、ソフトビニールで形成された頭部にヘアーを植毛状に設けてなる人形に於いて、そのヘアー部Ａのヘアースタイルを、自由にデザインしてセットできるようにしたもので、これは、人形頭部１の所望位置に設けられた適数の紐通し孔３夫々に挿通される二本の紐状体５によって構成されたものである。
【００１１】
そして、二本の紐状体５は、人形頭部１内表面がわとなる基端部分に、二本の紐状体５を結ぶことによって形成される裏結び目６が設けられ、この裏結び目６は、紐通し孔３より大きく形成されている。
また、人形頭部１外表面がわとなる先端部分では、所望のヘアー束２を結束可能となるような表結び目７が設けられ、前記紐通し孔３近傍でヘアー束２を確実に且つ安定的に固定できるよう構成されている。
【００１２】
更に、紐通し孔３近傍で固定されたヘアー束２の表面がわには、外観上の体裁がより良くなるように、適宜装飾体１０、１５を配すると共に、この装飾体１０、１５で表結び目７部分（或いは、表結び目７部分及び紐状体５自体）を覆うように構成される。
【実施例】
【００１３】
前記人形頭部１は、例えば、比較的柔軟な適宜合成樹脂材（例えば、ソフトビニール等）によって形成されると共に、所定厚みを有する中空状に構成されており、質感や、触感が、より人間に近くなるように構成されている。
しかも、人形頭部１に植毛されるヘアーは、比較的柔軟な適宜合成樹脂材等によって形成されており、比較的細く且つ密な状態に植毛されて、より人間の毛髪に近くなるように構成されている。
【００１４】
前記紐通し孔３は、例えば、図２に示すように、針穴に紐状体５を予め通してある針２０を、人形頭部１の内部がわから突き刺して貫通させることによって構成され、かなり小さくて目立たないように形成されている。
【００１５】
前記紐状体５は、例えば、細くて目立ち難い糸や、弾性を備えたゴム紐や、装飾性の優れたリボンや、その他の適宜材料を利用することができるものである。
そして、基端がわの裏結び目６は、紐通し孔３より大きくて外力等によって紐通し孔３を簡単に通過できないように構成されている。
また、先端がわの表結び目７は、ヘアー束２を確実に結束できるように形成されている。
ところで、人形頭部１内表面と裏結び目６との間に、例えば、ビーズや、紐通し孔を穿設した小さい板材等を介装せしめて、裏結び目６が紐通し孔３を通過するのをより確実に阻止できるよう構成しても良い。
【００１６】
図１及び図４に示す装飾体１０は、例えば、適宜弾性を備えた合成樹脂材によって略断面Ｃ字状で略短半筒状の基体１１を形成し、この基体１１の開放端縁部分に適数の略三角片状の係止爪１２を突設して構成されたもので、紐状体５で結束されたヘアー束２部分を、外がわから弾性的に包むように基体１１が外装装着されて、簡単に逸脱しないように形成されている。このとき、係止爪１２がヘアー束２内に係止されるようにすれば、装飾体１０の装着安定性がより増すようになる。
【００１７】
図１及び図５に示す装飾体１５は、例えば、適宜装飾性に優れた略薄い板状の基体１６を形成し、この基体１６の裏面に小さな略リング状の紐通し部１７を設けて構成されたもので、紐状体５で結束されたヘアー束２部分（特に、表結び目７部分）が外がわから覆われるように基体１６を配置すると共に、紐状体５の先端部分を紐通し部１７に挿通せしめて緊定することにより、所望位置に固定できるよう構成されている。
尚、紐通し部１７は、例えば、基体１６にボタンホール状の紐通し部１７を設けたものを利用しても良い（図示せず）。
【００１８】
ところで、人形頭部１の具体的構成、形状、寸法、材質、ヘアー束２の具体的配設位置、結束量、紐通し孔３の具体的構成、形状、寸法、配設位置、数、紐状体５の具体的構成、形状、寸法、材質、数、裏結び目６の具体的構成、形状、寸法、表結び目７の具体的構成、形状、寸法、装飾体１０の具体的構成、形状、寸法、材質、基体１１の具体的構成、形状、寸法、材質、係止爪１２の具体的構成、形状、寸法、材質、配設位置、数、装飾体１５の具体的構成、形状、寸法、材質、基体１６の具体的構成、形状、寸法、材質、紐通し部１７の具体的構成、形状、寸法、材質、配設位置、数等は図示例のもの等に限定されることなく適宜自由に設定、変更できるものである。
【図面の簡単な説明】
【００１９】
【図１】本考案を例示する斜視図である。
【図２】本考案を例示する部分断面図である。
【図３】本考案を例示する部分断面図である。
【図４】本考案の他の実施例を示す部分断面図である。
【図５】本考案の他の実施例を示す部分断面図である。
【符号の説明】
【００２０】
１    人形頭部            ２    ヘアー束
３    紐通し孔
５    紐状体              ６    裏結び目
７    表結び目
１０  装飾体              １１  基体
１２  係止爪
１５  装飾体              １６  基体
１７  紐通し部
２０  針
Ａ    ヘアー部
【図１】
0003101964.tif 000003
【図２】
0003101964.tif 000004
【図３】
0003101964.tif 000005
【図４】
0003101964.tif 000006
【図５】
0003101964.tif 000007